(57)【要約】【課題】高精細画像を得ることができるフィルターユニットを構成する。【解決手段】デジタルカメラ等の撮像装置を構成するレンズ鏡筒に着脱自在に装着されて利用されるフィルターユニット１Ａを、円板状のフィルター本体２と、このフィルター本体２を収容する円環状のフィルター枠３と、このフィルター枠３とフィルター本体２との間に形成され、弾性を有する接着剤からなる接着皮膜４と、フィルター枠３の内側で、レンズ鏡筒に装着されたときにフィルター本体２よりも撮影対象側となる箇所に収容される飾り環枠５を備えて構成し、フィルター枠３とフィルター本体２との間に接着皮膜４を形成することでフィルター本体２をフィルター枠３と非接触とし、飾り環枠５を配置することにで、レンズ鏡筒に装着されたときに接着皮膜４をその外観から隠蔽するようにする。【選択図】図１
2016057384.tif 000002
【特許請求の範囲】
【請求項１】
撮像装置に用いる部材となるフィルターユニットであって、
円板状又は角板状のフィルター本体と、
このフィルター本体を収容するフィルター枠と、
このフィルター枠と前記フィルター本体との間に形成され、弾性を有する接着剤からなる接着皮膜と、
から構成され、
前記接着皮膜によって前記フィルター本体が前記フィルター枠と非接触とされるとともに、前記撮像装置に装着されたとき、前記接着皮膜がその外観から隠蔽される、
ことを特徴とするフィルターユニット。
【請求項２】
撮像装置に用いる部材となるフィルターユニットであって、
円板状又は角板状のフィルター本体と、
このフィルター本体を収容する中間フレーム体と、
この中間フレーム体と前記フィルター本体との間に形成され、弾性を有する接着剤からなる接着皮膜と、
前記中間フレーム体を把持するフィルター枠と、
から構成され、
前記中間フレーム体によって前記フィルター本体が前記フィルター枠と非接触とされ、前記接着皮膜によって前記フィルター本体が前記中間フレーム体と非接触とされるとともに、前記撮像装置に装着されたとき、前記接着皮膜がその外観から隠蔽される、
ことを特徴とするフィルターユニット。
【請求項３】
前記接着皮膜が黒色である、
ことを特徴とする請求項１又は請求項２に記載のフィルターユニット。
【請求項４】
前記フィルター枠に嵌装されるシール部材を有する、
ことを特徴とする請求項１から請求項３の何れか１項に記載のフィルターユニット。
【発明の詳細な説明】
【技術分野】
【０００１】
本発明は、デジタルスチルカメラやデジタルビデオカメラ等の撮像装置に用いる部材となるフィルターユニットに関し、圧入もしくは押圧されることなくフィルター枠に取り付けられてフィルター本体に歪みが発生することのないフィルターユニットに関する。
【背景技術】
【０００２】
デジタルカメラなどの撮像装置では、レンズ前面の汚れやキズを保護するプロテクターの目的で、又は、偏光或いは減光等する目的で、レンズ鏡筒にフィルターユニットを装着することが一般的となっている。従来のフィルターユニットは、例えば、円環状のフィルター枠体の内側に、円板状のガラス製フィルター本体が固定されて構成されている。なお、円環状のフィルター枠体は、一端側にレンズ鏡筒に取り付けるための雄ねじ部が形成され、他端側に他のフィルター、その他のレンズ関連部品を取り付けるための雌ねじ部が形成されて構成されている。
【０００３】
フィルター枠体へのフィルター本体の取り付けは多くの場合、フィルター枠の内側面へ直接フィルター本体を落とし込んだ後、下記特許文献１で提案されているように、押え環やＣリングで固定することでなされている。また、下記特許文献２で提案されるように、かしめて固定することもある。すなわち、フィルター枠体とフィルター本体とが加圧接触させられた状態でフィルターユニットが構成される。このほか、フィルター枠を高分子弾性体で構成する例が下記特許文献３で提案されているが、熱かしめ、超音波接着、接着等の手法で固定されているため、フィルター枠体とフィルター本体とは加圧接触させられた状態にあると考えられる。
【０００４】
最近、デジタルカメラに係る技術分野において、固体撮像素子として４Ｋ（水平解像度４０９６画素×垂直解像度２１６０画素）、更には８Ｋ（水平解像度７６８０画素×垂直解像度４３２０画素）といった高解像度の性能を有するものの適用が検討されている。しかし、特許文献１〜３で提案されるフィルターユニットのように、フィルター枠体とフィルター本体とが加圧接触させられた状態で構成されていると、フィルター本体の表面に歪みが発生している虞がある。そうすると、４Ｋや８Ｋ固体撮像素子を適用したとしても、フィルターの表面の歪みを起因とした画像の劣化が懸念される。
【０００５】
下記特許文献４に記載された発明では、レンズを鏡筒に弾性接着剤で固定しようする技術が提案されている。下記特許文献５に記載された発明では、光源ユニットを構成する光源ホルダーと光源と一体化されている補助部材とを弾性接着剤で固定し、光源と光源ホルダーとが組み付け後に中心ズレを起こさないようにした技術が提案されている。このように、特許文献４，５では、異なる部材同士が接触することで発生する歪みを緩和することに着目した発明が提案されている。その他、特許文献６で開示されるようなフィルターユニットも提案されている。
【先行技術文献】
【特許文献】
【０００６】
【特許文献１】実願昭４９−４９８５７号（実開昭５０−１３８９３０号）のマイクロフィルム
【特許文献２】実願昭４８−７８３９７号（実開昭５０−２５５３８号）のマイクロフィルム
【特許文献３】特開２０１３−１５６４８３号公報
【特許文献４】特開平８−２７１７７５号公報
【特許文献５】特許第４５０４００１号公報
【特許文献６】特開２００３−５００５号公報
【発明の概要】
【発明が解決しようとする課題】
【０００７】
しかしながら、特許文献４で提案された発明を構成している弾性接着剤をフィルターユニットに適用とすれば、接着剤のはみ出し等が起こるので、これに対処する工程が必要となって工程数が増え、製造コスト等が増大する虞がある。また、レンズを鏡筒に弾性接着剤で固定するのでは、レンズやフィルター本体等の歪みの防止効果が不十分である可能性が大きい。また、特許文献５で提案された発明は、これに係る技術をフィルターユニットに適用すること自体が難しいという問題がある。
【０００８】
本発明は、上記実情に鑑みて提案され、撮像装置に用いる部材となるフィルターユニットに関し、フィルター本体に歪みを発生させることなくフィルター枠に取り付けて構成し、デジタルカメラ等で高精細画像を得るのにフィルター本体の歪みに起因した支障が出ないようにしたフィルターユニットを提供することを目的とする。
【課題を解決するための手段】
【０００９】
上記目的を達成するため、本発明は、撮像装置に用いる部材となるフィルターユニットであって、円板状又は角板状のフィルター本体と、このフィルター本体を収容するフィルター枠と、このフィルター枠と前記フィルター本体との間に形成され、弾性を有する接着剤からなる接着皮膜と、から構成され、前記接着皮膜によって前記フィルター本体が前記フィルター枠と非接触とされるとともに、前記撮像装置に装着されたとき、前記接着皮膜がその外観から隠蔽されることを特徴とする。
【００１０】
また、本発明は、撮像装置に用いる部材となるフィルターユニットであって、円板状又は角板状のフィルター本体と、このフィルター本体を収容する中間フレーム体と、この中間フレーム体と前記フィルター本体との間に形成され、弾性を有する接着剤からなる接着皮膜と、前記中間フレーム体を把持するフィルター枠と、から構成され、前記中間フレーム体によって前記フィルター本体が前記フィルター枠と非接触とされ、前記接着皮膜によって前記フィルター本体が前記中間フレーム体と非接触とされるとともに、前記撮像装置に装着されたとき、前記接着皮膜がその外観から隠蔽されることを特徴とする。
【００１１】
特に、上記フィルターユニットにおいて、前記接着皮膜が黒色であることが好ましく、前記フィルター枠に嵌装されるシール部材を有することが、さらに好ましい。
【発明の効果】
【００１２】
本発明に係るフィルターユニットは、接着皮膜によってフィルター本体がフィルター枠と非接触とされるとともに、撮像装置を構成する例えば、レンズ鏡筒に装着されたとき、接着皮膜がその外観から隠蔽される構成である。フィルター本体はフィルター枠と非接触とされるので、フィルター本体を圧入等することなくフィルター枠に取り付けてフィルターユニットを構成することができる。すなわち、フィルター本体を、歪みを発生させることなくフィルター枠に取り付けてフィルターユニットを構成することができる。また、本発明は、接着皮膜がその外観から隠蔽されるので、撮影する画像等に接着皮膜が影響を与えることもない。したがって、デジタルカメラ等で高精細画像を得るのにフィルター本体の歪みに起因した支障を出さないで、かつ、本発明において新たに導入した接着皮膜の影響も出さないフィルターユニットを提供することができる。
【００１３】
本発明に係る他のフィルターユニットは、フィルター本体が中間フレーム体、フィルター枠のいずれとも非接触とされるとともに、例えば、レンズ鏡筒に装着されたとき、接着皮膜がその外観から隠蔽される構成である。フィルター本体は中間フレーム体、フィルター枠のいずれとも非接触とされるので、フィルター本体を圧入等することなくフィルター枠に取り付けてフィルターユニットを構成することができる。すなわち、フィルター本体を、歪みを発生させることなくフィルター枠に取り付けてフィルターユニットを構成することができる。接着皮膜がその外観から隠蔽されるので、撮影する画像等に接着皮膜が影響を与えることもない。したがって、デジタルカメラ等で高精細画像を得るのにフィルター本体の歪みに起因した支障を出さないで、かつ、本発明において新たに導入した接着皮膜の影響も出さないフィルターユニットを提供することができる。また、フィルター本体が損傷した場合、フィルター枠を生かしたたま、フィルター本体及び中間フレーム体とこれらの間の接着被膜からなる部材のみを交換することで済むので、丸ごと交換するよりも経済的である。
【００１４】
そして、フィルターユニットにおいて接着皮膜が黒色である構成とすることで、フィルターユニットを通過する光に対し、接着皮膜が乱反射したり、干渉等したりすることを回避することができる。また、フィルター枠に嵌装されるシール部材を有する構成とすることで気密性を確保し、例えば、防水効果といった気密性に起因する各種の効果を得ることができる。
【図面の簡単な説明】
【００１５】
【図１】本発明における第１実施形態に係るフィルターユニットの構成を示し、（ａ）は、その概略一部断面図であり、（ｂ）は、（ａ）の一部断面図における一点鎖線部の拡大図である。
【図２】第１実施形態に係るフィルターユニットの製造工程を説明し、（ａ）は、その縦断面説明図と、（ｂ）は、（ａ）における一点鎖線部の拡大図である。
【図３】本発明における第２実施形態に係るフィルターユニットの構成を示し、（ａ）は、その概略一部断面図であり、（ｂ）は、（ａ）の一部断面図における一点鎖線部の拡大図である。
【図４】第２実施形態に係るフィルターユニットの製造工程を説明し、（ａ）は、その縦断面説明図と、（ｂ）は、（ａ）における一点鎖線部の拡大図である。
【図５】本発明における第３実施形態に係るフィルターユニットの構成を示し、（ａ）は、その概略一部断面図であり、（ｂ）は、（ａ）の一部断面図における一点鎖線部の拡大図である。
【図６】本発明における他の形態に係るフィルターユニットの構成を示すにあたり、その要部を拡大して示す要部拡大図である。
【図７】本発明における更に他の形態に係るフィルターユニットの構成を示し、（ａ）は、その概略正面図であり、（ｂ）は、（ａ）のＶＩＩ−ＶＩＩ断面図である。
【発明を実施するための形態】
【００１６】
以下、本発明に係るフィルターユニットについていくつかの実施形態を図面とともに詳述する。これら実施形態は、本発明の技術的範囲に含まれるいくつかの例示である。したがって、本発明は、これらの実施形態で説明するフィルターユニットの構成に限定されることなく、本発明の技術的範囲内で種々の設計変更することが可能である。
【００１７】
［第１実施形態］
第１実施形態に係るフィルターユニット１Ａは、例えば、デジタルカメラ等の撮像装置を構成するレンズ鏡筒（図示省略）に着脱自在に装着されて利用される。その構成は、図１（ａ）、（ｂ）に示すように、円板状のフィルター本体２と、このフィルター本体２を収容する円環状のフィルター枠３と、このフィルター枠３とフィルター本体２との間に形成され、弾性を有する接着剤からなる接着皮膜４とからなる。また、フィルター枠３の内側で、レンズ鏡筒に装着されたときにフィルター本体２よりも撮影対象側となる箇所に収容される飾り環枠５を備えて構成される。フィルター枠３とフィルター本体２との間に接着皮膜４が形成されているので、フィルター本体２は、フィルター枠３と非接触とされる。また、フィルターユニット１Ａは、飾り環枠５が配置されることにより、レンズ鏡筒に装着されたときに接着皮膜４がその外観から隠蔽される。
【００１８】
フィルター本体２は、ガラス、プラスチック、ゼラチン又はアセテート等が材質とされ、レンズ前面の保護、偏光、減光、シャープカット（特定波長以下の波長を遮蔽する）、コントラスト調整等のフィルター本体２を通過する光に各種の効果を与える成分を含んで構成される。例えば、ホウケイ酸ガラス等の光学ガラスで形成されたフィルター本体２を例示することができる。また、例えば、精密研磨された高い面精度をもつ単板ガラスのフィルター本体２を例示することができる。フィルター本体２の外径Ｄは、例えば１２７ｍｍ以下であり、厚さは、例えば２．５ｍｍである。特にフィルター本体をガラスで形成した場合は、環境（例えば温度）に対する依存性が少なくなるので、撮像画像の高画質化に有利である。例えばホウケイ酸ガラスの線膨張率は５．２×１０-6℃であり、プラスチック（例えばＰＣ）の線膨張率（７×１０-5℃）よりも１０倍以上低い値を示す。
【００１９】
フィルター枠３は、一端側の内周側に形成され、様々な光学系部品が装着される雌ねじ部（第１係合部）３１と、他端側の外周側に形成され、レンズ鏡筒に装着される雄ねじ部（第２係合部）３２を有している。また、雌ねじ部３１と雄ねじ部３２とが形成されている間の部分に段部３３が形成されている。雄ねじ部３２側の端部は、フィルター枠３で環の径が最も狭い最狭径部３４とされている。そして、この最狭径部３４と段部３３の内面側３３１とで形成される空間に、フィルター本体２が収容される。フィルター枠３は、装着時に撓まない程度の機械的強度を有し、かつ比重の小さい硬質材料、例えば、アルミニウム合金等の金属材料あるいは、エンジニアリングプラスチック等の高分子材料で形成することができる。
【００２０】
フィルター枠３とフィルター本体２との間に形成される接着皮膜４は、弾性を有する接着剤（弾性接着剤）からなり、硬化後の被膜がゴム弾性を有し、応力を被膜で分散できるものを採用することができる。特に、環境汚染の点から、無溶剤型の一液湿気硬化型接着剤を使用することが好ましい。このような接着皮膜４を構成する弾性接着剤として、シリコーン樹脂、変性シリコーン樹脂、シリル化ウレタン樹脂、ポリウレタン樹脂等のベースポリマーに必要に応じて充填剤（例えば、炭酸カルシウム）、可塑剤（例えば、フタル酸エステル）、接着性向上剤（例えば、アミノシランカップリング剤）の一種又は二種以上を配合した接着剤を例示することができる。ポリプロピレングリコール骨格の末端にアルコキシシリル基を有する変性シリコーン樹脂は、ポリプロピレングリコール骨格が弾性を発揮する。また、末端のアルコキシシリル基が触媒の存在下において、水と縮合反応し、架橋を形成することで、５０〜４００％という伸び率の高い接着被膜（硬化物）が得られるので、ベースポリマーとして好ましい素材といえる。
【００２１】
また、変性シリコーン樹脂をベースポリマーとした接着被膜４とすれば、その硬化物のガラス転移点が−５０℃程度となるので、通常の使用状態でゴム様の弾性が示される。変性シリコーン樹脂をベースポリマーとした弾性接着剤は常温で液体のため、無溶剤型接着剤となり、硬化触媒存在下でも水分の侵入が遮断され、一液型接着剤となる。本発明において、黒色ペースト状の弾性接着剤を使用して接着被膜４を構成すれば、フィルター本体２に入射してきた入射光が接着被膜４と乱反射することがなくなるので、フィルターユニット１Ａ内での光の乱反射を防止することができる。
【００２２】
飾り環枠５は、フィルター枠３の内側で、レンズ鏡筒に装着されたときにフィルター本体２よりも撮影対象側となる箇所に収容される。特に、飾り環枠５は、フィルター枠３の段部３３の幅広側３３２に当接することで、フィルター枠３の段部３３の内面側３３１に接着皮膜４を介して収容されたフィルター本体２よりも撮影対象側へ、所定の空間を隔てて収容される。これにより、飾り環枠５とフィルター本体２とが非接触とされる構造となる。飾り環枠５は、フィルター枠３と同様、装着時に撓まない程度の機械的強度を有し、かつ比重の小さい硬質材料、例えば、アルミニウム合金等の金属材料あるいは、エンジニアリングプラスチック等の高分子材料で形成することができる。
【００２３】
第１実施形態に係るフィルターユニット１Ａは、例えば、図２に示す治具等を利用することで組立て、これを構成することができる。
【００２４】
すなわち、図２（ａ）、（ｂ）に示すように、卓上ロボット上に中心孔Ａ１が形成されている平面円形の保持治具Ａに、フィルター枠３を、雌ねじ部３１側を上方にして載置する。続いて、フィルター本体２をフィルター枠３の段部３３の内面側３３１に収容する。その際、フィルター枠３の最狭径部３４に接着剥離シートＢをあらかじめ配設し、落とし込んでおく。なお、接着剥離シートＢは、後述するフィルター本体２とフィルター枠３との間に弾性接着剤を塗布し、硬化させて接着皮膜４を形成するときに、フィルター枠３の最狭径部３４から外部へ弾性接着剤を漏らさないようにするためのシート材である。
【００２５】
さらに、フィルター本体２をフィルター枠３の段部３３の内面側３３１に収容したら、フィルター本体２上に錘Ｃを置き、フィルター本体２を加重して容易に動かなくさせる。さらに、上方から芯出し治具Ｄを、その端部をフィルター本体２とフィルター枠３との間に挿入して、保持治具Ａへ被せるようにし、フィルター本体２のセンターを位置決めする。芯出し治具Ｄには、保持治具Ａへ被せるときに、フィルター本体２に触れないように、その底面側に凹部形状（円錐台状）Ｄ１が形成されている。
【００２６】
フィルター本体２のセンターを位置決めしたら、芯出し治具Ｄを外し、フィルター本体２とフィルター枠３との間に黒色の弾性接着剤（例えば、着色剤（例えば黒色顔料）を含み、変性シリコーン樹脂をベースポリマーとした弾性接着剤）を塗布し、所定時間放置し、弾性接着剤を硬化させて接着被膜４を形成する。これにより、接着皮膜４によってフィルター本体２がフィルター枠３と非接触とされるフィルターユニット１Ａを構成することができる。なお、保持治具Ａの材質は、弾性接着剤が付着しても完全接着されず、剥がすことのできるポリアセタール樹脂（ＰＯＭ）、ポリプロピレン樹脂（ＰＰ）、フッ素樹脂（例えばＰＴＦＥ）、ポリアミド樹脂（ナイロン）等が好ましい。また、保持治具Ａからフィルター本体２を確実に浮かせた状態でフィルターユニット１Ａの組立てを進めるため、保持治具Ａ上にフィルター枠３を載置した後、弾性接着剤が付着しても完全接着されない材質のワッシャー（平座金状のスペーサ）等をフィルター枠３内に挿入しておくことが好ましい。
【００２７】
このフィルターユニット１Ａに対し、フィルター枠３の雌ねじ部側３１から飾り環枠５を、段部３３の幅広側３３２に当接させてフィルター枠３に収容することで組み立てが完成する。硬化後の接着被膜４は柔軟でゴム弾性を示すので、接着界面に応力が集中するのが防止される。
【００２８】
接着被膜４を形成する弾性接着剤の塗布量は、接着被膜４に求められる厚さから決定することができる。すなわち、接着被膜４の被膜の厚さが薄すぎると、その柔軟性が阻害され、かつ、接着強度が低下するので好ましくなく、被膜の厚さが厚すぎると、フィルター本体２の取付精度が低下するので好ましくないので、適当な厚さが必要となる。例えば、接着被膜４の厚さは０．２〜０．８ｍｍの範囲とすることが好ましく、より好ましくは０．５〜０．６ｍｍの範囲である。
【００２９】
［第２実施形態］
第２実施形態に係るフィルターユニット１Ｂは、図３（ａ）、（ｂ）に示すように、円板状のフィルター本体２と、このフィルター本体２を収容する円環状の中間フレーム体としてのインナー枠６と、このインナー枠６とフィルター本体２との間に形成され、弾性を有する接着剤からなる接着皮膜４と、インナー枠６を把持する円環状のフィルター枠３とからなる。また、フィルター枠３の内側で、レンズ鏡筒に装着されたときにフィルター本体２よりも撮影対象側となる箇所に収容される飾り環枠５を備えて構成される。
【００３０】
インナー枠６によってフィルター本体２がフィルター枠３と非接触とされる。インナー枠６とフィルター本体２との間に接着皮膜４が形成されているので、フィルター本体２は、インナー枠６とも非接触とされる。また、フィルターユニット１Ａは、飾り環枠５が配置されることにより、レンズ鏡筒に装着されたときに接着皮膜４がその外観から隠蔽される。
【００３１】
第２実施形態に係るフィルターユニット１Ｂにおいて、フィルター本体２、フィルター枠３、接着皮膜４及び飾り環枠５は、第１実施形態と同様の構成のものを採用することができる。第２実施形態に係るフィルターユニット１Ｂが、第１実施形態と異なるのは、円環状のインナー枠６が付加されて構成されている点である。なお、フィルター本体２の外径はインナー枠６が付加される分だけ、小径とすればよい。
【００３２】
インナー枠６は、図３に示すように円環状で、間に形成された接着皮膜４を介してフィルター本体２を収容している。また、インナー枠６は、フィルター枠３の段部３３の内面側３３１に収容される。インナー枠６はその端部で、フィルター枠３の雌ねじ部３１側から収容されてきた飾り環枠５に当接する。これにより、フィルター本体２と飾り環枠５とが非接触とされる構造となる。
【００３３】
インナー枠６は、フィルター枠３、飾り環枠５と同様、装着時に撓まない程度の機械的強度を有し、かつ比重の小さい硬質材料、例えば、アルミニウム合金等の金属材料あるいは、エンジニアリングプラスチック等の高分子材料で形成することができる。
【００３４】
第２実施形態に係るフィルターユニット１Ｂは、例えば、図４に示す治具等を利用することで組立て、これを構成することができる。
【００３５】
すなわち、図４（ａ）、（ｂ）に示すように、卓上ロボット上に中心孔Ａ１が形成されている平面円形の保持治具Ａの上に、円環状のインナー枠用治具Ｅを載置する。続いて、このインナー枠用治具Ｅの円環上にインナー枠６を載置する。このとき、インナー枠６に面取り部６ａを設けておけば、この面取り部６ａをインナー枠用治具Ｅ側とすることで、インナー枠６の方向を決めることができる。フィルター本体２をインナー枠６の内面に収容する。その際、インナー枠用治具Ｅにおけるインナー枠６の面取り部６ａ側に接着剥離シートＢをあらかじめ配設し、落とし込んでおく。なお、接着剥離シートＢは上述したように、接着皮膜４を形成するときに、インナー枠６から外部へ弾性接着剤を漏らさないようにするためのシート材である。
【００３６】
フィルター本体２をインナー枠６の内面に収容したら、フィルター本体２上に錘Ｃを置き、フィルター本体２を加重して容易に動かなくさせる。さらに、上方から芯出し治具Ｄを、その端部をフィルター本体２とインナー枠６との間に挿入して、インナー枠用治具Ｅへ被せるようにし、フィルター本体２のセンターを位置決めする。芯出し治具Ｄは、その底面側の凹部形状Ｄ１により、フィルター本体２に触れないようにされている。
【００３７】
フィルター本体２のセンターを位置決めしたら、芯出し治具Ｄを外し、フィルター本体２とインナー枠６との間に黒色の弾性接着剤（例えば、着色剤（例えば黒色顔料）を含み、変性シリコーン樹脂をベースポリマーとした弾性接着剤）を塗布し、所定時間放置し、弾性接着剤を硬化させて接着被膜４を形成する。これにより、接着皮膜４によってフィルター本体２がインナー枠６と非接触とされる。最後に、このフィルター本体２とインナー枠６との間に接着被膜４を形成したものを、フィルター枠３の段部３３の内面側３３１に嵌め込んで収容することで、フィルターユニット１Ｂを構成することができる。さらに、このフィルターユニット１Ｂに対し、フィルター枠３の雌ねじ部側３１から飾り環枠５を、インナー枠６に当接させてフィルター枠３に収容することで組み立てが完成する。
【００３８】
硬化後の接着被膜４は柔軟でゴム弾性を示すので、接着界面に応力が集中するのが防止される。第２実施形態に係るフィルターユニット１Ｂによれば、フィルター本体２が損傷した場合などに、フィルター枠３を交換することなしに、フィルター本体２とインナー枠６との間に接着被膜４を形成したものを交換することで済むので、丸ごと交換するよりも経済的となる。
【００３９】
なお、第２実施形態においても、接着被膜４を形成する弾性接着剤の塗布量は、接着被膜４に求められる厚さから決定される。すなわち、接着被膜４の柔軟性が阻害されず、かつ、接着強度が低下せず、フィルター本体２の取付精度が低下しない厚さから決定される。例えば、接着被膜４の厚さは０．２〜０．８ｍｍの範囲とすることが好ましく、より好ましくは０．５〜０．６ｍｍの範囲である。
【００４０】
［第３実施形態］
また、本発明は、図５（ａ）、（ｂ）に示すような第３実施形態に係るフィルターユニット１Ｃも、本願の技術的範囲に含まれる。すなわち、第３実施形態に係るフィルターユニット１Ｃは、円板状のフィルター本体２と、このフィルター本体２を収容する円環状の中間フレーム体としてのインナー枠６１と、このインナー枠６１とフィルター本体２との間に形成され、弾性を有する接着剤からなる接着皮膜４と、インナー枠６を把持する円環状のフィルター枠３とからなる。また、フィルター枠３の内側で、レンズ鏡筒に装着されたときにフィルター本体２よりも撮影対象側となる箇所に収容される飾り環枠５を備えて構成される。
【００４１】
第３実施形態に係るフィルターユニット１Ｃを構成するインナー枠６１は、特に図５（ｂ）に示すように、飾り環枠５が当接する側に当接面６１ａを形成した断面略Ｌ字形状を有し、飾り環枠５との接触を確実にする構造を有する点で、第２実施形態に係るフィルターユニット１Ｂのインナー枠６と異なる。その他は、第２実施形態に係るフィルターユニット１Ｂと同様である。
【００４２】
したがって、第３実施形態に係るフィルターユニット１Ｃの組立ても、インナー枠６１に設けた面取り部６ａをインナー枠用治具Ｅとは逆側である上方にして（当接面６１ａをインナー枠用治具Ｅ側にして）、インナー枠用治具Ｅの円環上にインナー枠６１を載置する点を留意すれば、第２実施形態に係るフィルターユニット１Ｂのそれとほぼ同様となる。そして、第３実施形態に係るフィルターユニット１Ｃは、飾り環枠５との接触を確実にして、全体を堅牢にして構成をすることができる。
【００４３】
［その他の実施形態］
また、本発明は、図６に示すようなフィルターユニットも、本願の技術的範囲に含まれる。すなわち、フィルター枠３にゴム製のＯリングなどに代表されるパッキン７１、７２（シール部材）を備えさせてフィルターユニットを構成することが好ましい。レンズ鏡筒にねじ込みにより装着されたときに気密性を確保し、例えば、防水効果といった気密性に起因する各種の効果を得ることができるからである。
【００４４】
なお、フィルター枠３に備えようとするパッキンは、段部３３に形成した溝３３３に嵌め込むパッキン７１、フィルター枠３の雄ねじ部３２に連続するねじ逃げ部３２１に配置するパッキン７２のいずれかで構わない。いずれの場合にも、レンズ鏡筒にねじ込みにより装着されたときに気密性を確保することができる。
【００４５】
また、図６に示すように、フィルター枠３に内側に突出する飾り部３５を設け、これに飾り環枠の機能を担わせて接着皮膜４を外観に現れないようにしてフィルターユニットを構成することができる。飾り環枠が不要となるので、経済的なフィルターユニットを提供することができる。
【００４６】
以上、本発明について出願人が最良であると信じる実施形態の１つを詳述したが、本発明は、特許請求の範囲に記載された事項を逸脱することがなければ、上記実施形態に限定されることなく、種々の設計変更を行う事が可能である。例えば、本発明を構成するために必要とされる部材、部品等は、本発明から得ることのできる作用を満たすものである限り、例示した以外の部材、部品等を採用することができる。
【００４７】
さらに、例えば、図７に示すように、本発明は、矩形状のフィルターユニットも本願の技術的範囲に含まれる。すなわち、図７（ａ）、（ｂ）に示すように、角板状のフィルター本体２０と、このフィルター本体２０を収容する角環状のフィルター枠３０と、このフィルター枠３０とフィルター本体２０との間に形成され、弾性を有する接着剤からなる接着皮膜４とからなる矩形状のフィルターユニットの構成である。
【００４８】
このような構成のフィルターユニットは、フィルター枠３０とフィルター本体２０との間に接着皮膜４が形成されているので、フィルター本体２０がフィルター枠３と非接触とされる。したがって、フィルター本体２０を、歪みを発生させることなくフィルター枠３０に取り付けてフィルターユニットを構成することができる。
【００４９】
また、このような構成のフィルターユニットは、レンズ鏡筒等に設けられているホルダーに差し込まれることでレンズ鏡筒に装着されるが、このときフィルター枠３０及び接着皮膜４の一部又は全部が、ホルダーによって外観から隠蔽される。
【００５０】
このほか、上記実施形態では、フィルター枠の前側（外径が大となる光の入射側）の雌ねじ部に押え環を配設する構成を例示した。しかしながら、本発明では、例えば、雄ねじ部が外周面に形成されているフィルター枠の後側（外径が小となる光の出射側）の内周面に雌ねじ部を形成し、この雌ねじ部に押え環を配設してフィルター本体を押さえる構成であっても、その技術的範囲に含まれる。
【符号の説明】
【００５１】
１Ａ・・フィルターユニット（本発明：第１実施形態）
１Ｂ・・フィルターユニット（本発明：第２実施形態）
１Ｃ・・フィルターユニット（本発明：第３実施形態）
２・・・フィルター本体
２０・・フィルター本体
３・・・フィルター枠
３０・・フィルター枠
３１・・雌ねじ部
３２・・雄ねじ部
３２１・ねじ逃げ部
３３・・段部
３３１・段部の内面側
３３２・段部の幅広側
３３３・溝
３４・・最狭径部
３５・・飾り部
４・・・接着被膜
５・・・飾り環枠
６・・・インナー枠（中間フレーム体：第２実施形態）
６ａ・・面取り部
６１・・インナー枠（中間フレーム体：第３実施形態）
６１ａ・当接面
７１・・パッキン（シール部材）
７２・・パッキン（シール部材）
Ａ・・・保持治具
Ａ１・・中心孔
Ｂ・・・接着剥離シート
Ｃ・・・錘
Ｄ・・・芯出し治具
Ｄ１・・凹部形状（円錐台状）
Ｅ・・・インナー枠用治具
【図１】
2016057384.tif 000003
【図２】
2016057384.tif 000004
【図３】
2016057384.tif 000005
【図４】
2016057384.tif 000006
【図５】
2016057384.tif 000007
【図６】
2016057384.tif 000008
【図７】
2016057384.tif 000009